(57)【要約】【課題】  電話回線を利用したＦＡＸ通信がＥＮＵＭによってｉＦＡＸに切り替えられｉＦＡＸを受信した場合でも、送信相手に応じて予め設定された処理を受信画像に対して行うことができる画像通信装置およびその方法を提供する。【解決手段】  画像通信装置１００において、テーブル記憶部１０６に送信電話番号に対応して処理方法を登録した場合は、トランスポートプロトコル処理部１２０がＤＮＳ３０にアクセスし、該送信電話番号に対応するＮＡＰＴＲリソースレコードのＵＲＩに該登録した処理方法に対応する制御情報を登録し、ｉＦＡＸ部１３０においてインターネットファクシミリ通信により文書を受信した際に、制御情報が含まれている場合は、該文書を該制御情報に対応する処理をシステム制御部１０１が行う。【選択図】  図１
2007088892.tif 000002
【特許請求の範囲】
【請求項１】
ファクシミリ通信若しくはインターネットファクシミリ通信により文書を受信した際に網から通知される送信端末の電話番号である発信電話番号、相手が送信指示の際に指定した送信電話番号若しくは送信元メールアドレスに対応して該文書の処理方法をテーブルに予め登録し、受信文書を該テーブルに登録した処理方法にしたがって処理する画像通信装置において、
前記テーブルに前記送信電話番号に対応して前記処理方法を登録した場合は、ＥＮＵＭサーバにアクセスし、該送信電話番号に対応するＮＡＰＴＲリソースレコードのＵＲＩに該登録した処理方法に対応する制御情報を登録する登録手段と、
インターネットファクシミリ通信により文書を受信した際に、前記制御情報が含まれている場合は、該文書を該制御情報に対応する処理方法で処理する処理手段と、
前記テーブルに前記送信電話番号に対応して登録した処理方法を変更した場合は、ＥＮＵＭサーバにアクセスし、該送信電話番号に対応するＮＡＰＴＲリソースレコードのＵＲＩに登録した制御情報を該変更した処理方法に対応する制御情報に更新する更新手段と
を具備することを特徴とする画像通信装置。
【請求項２】
インターネットファクシミリ通信により文書を受信した際に、前記制御情報が含まれていない場合は、送信元メールアドレスにより前記テーブルを検索し、該テーブルに該送信元メールアドレスに対応して処理方法が登録されている場合は、該登録された処理方法にしたがって該文書を処理する
ことを特徴とする請求項１記載の画像通信装置。
【請求項３】
前記テーブルの検索により、該テーブルに該送信元メールアドレスに対応して処理方法が登録されていない場合は、ＥＮＵＭサーバにアクセスし、該送信元メールアドレスに対応する電話番号を取得し、該取得した電話番号を前記発信電話番号として前記テーブルを検索し、該テーブルに該発信電話番号に対応して処理方法が登録されている場合は、該登録された処理方法にしたがって該文書を処理する
ことを特徴とする請求項２記載の画像通信装置。
【請求項４】
前記テーブルに登録される処理方法は、
受信文書を予め登録された排紙トレイに排出する処理である
ことを特徴とする請求項１乃至３のいずれかに記載の画像通信装置。
【請求項５】
前記テーブルに登録される処理方法は、
受信文書を予め登録されたデータボックスに格納する処理である
ことを特徴とする請求項１乃至３のいずれかに記載の画像通信装置。
【請求項６】
ファクシミリ通信若しくはインターネットファクシミリ通信により文書を受信した際に網から通知される送信端末の電話番号である発信電話番号、相手が送信指示の際に指定した送信電話番号若しくは送信元メールアドレスに対応して該文書の処理方法をテーブルに予め登録し、受信文書を該テーブルに登録した処理方法にしたがって処理する画像通信方法において、
前記テーブルに前記送信電話番号に対応して前記処理方法を登録した場合は、ＥＮＵＭサーバにアクセスし、該送信電話番号に対応するＮＡＰＴＲリソースレコードのＵＲＩに該登録した処理方法に対応する制御情報を登録手段により登録し、
インターネットファクシミリ通信により文書を受信した際に、前記制御情報が含まれている場合は、該文書を該制御情報に対応する処理方法で処理し、
前記テーブルに前記送信電話番号に対応して登録した処理方法を変更した場合は、ＥＮＵＭサーバにアクセスし、該送信電話番号に対応するＮＡＰＴＲリソースレコードのＵＲＩに登録した制御情報を該変更した処理方法に対応する制御情報に更新手段により更新する
ことを特徴とする画像通信方法。
【発明の詳細な説明】
【技術分野】
【０００１】
本発明は、ＥＮＵＭ(tElephone NUmber Mapping)技術に対応して、さらに、インターネットファックスを受信することができる画像通信装置およびその方法に関し、特に、電話回線を利用したＦＡＸ通信がＥＮＵＭによってｉＦＡＸに切り替えられｉＦＡＸを受信した場合でも、送信相手に応じて予め設定された処理を受信画像に対して行うことができる画像通信装置およびその方法に関する。
【背景技術】
【０００２】
従来のＦＡＸ装置には、電話回線を利用したＦＡＸ通信において、送信装置が指示した送信電話番号や送信装置の電話番号である発信電話番号を基づいて、予め設定された内容の処理を行う機能を有するものがある。
【０００３】
特許文献１には、複数のダイヤルイン番号をＦＡＸ装置に割り当て、その着信番号に対応する受信機能を記憶部に登録することによって、ＦＡＸが備えた受信機能を画一的に実行させるのではなく、ＦＡＸ通信相手等の諸条件に応じてその受信機能を使い分けることができるようにしたダイヤルイン機能付ファクシミリ装置が提案されている。
【０００４】
また、特許文献２には、受信原稿の排出部を複数備え、電話網のダイヤルインサービスにおける内線指定番号によって受信原稿の排出先を選択することができるＦＡＸ装置が提案されている。
【０００５】
そして、近年では、インターネットを利用した通信技術として、ＥＮＵＭと呼ばれる技術が存在する。
【０００６】
このＥＮＵＭにおいては、国際電気通信連合(ＩＴＵ−Ｔ)による電話番号の国際的な取り決めであるＥ．１６４勧告に基づいて電話番号の変換を行い、ＥＮＵＭ形式のアドレス情報であるドメインネームを作成して、ドメインネームをＥＮＵＭのＤＮＳ(Domain Name System)に送って問い合わせを行うことにより、通信相手が通信可能な通信手段と該通信手段を使用した際の通信相手のアドレスをＵＲＩ形式で得ることができる。
【０００７】
また、特許文献３には、ＥＮＵＭ技術を利用して、送信時に相手方装置の能力情報を確認して相手方装置の受信能力に見合った最適な画像を送信することができる通信方法、通信装置およびサーバが提案されている。
【特許文献１】特開平６−３０２１４号公報
【特許文献２】特開平２−３７８６８号公報
【特許文献３】特開２０００−２６１５９７号公報
【発明の開示】
【発明が解決しようとする課題】
【０００８】
しかし、ＥＮＵＭ技術が利用されて、ＦＡＸ通信がインターネットを利用したｉＦＡＸ通信に自動的に切り替えられて画像の送信が行われた場合には、ｉＦＡＸ通信では送信電話番号や発信電話番号が通知されないため、従来の電話回線を使用したＦＡＸ通信において行われた、送信電話番号や発信電話番号に基づいて予め設定された内容の処理を行う機能が使用できなくなる。
【０００９】
そこで、この発明は、電話回線を利用したＦＡＸ通信がＥＮＵＭによってｉＦＡＸに切り替えられｉＦＡＸを受信した場合でも、送信相手に応じて予め設定された処理を受信画像に対して行うことができる画像通信装置およびその方法を提供することを目的とする。
【課題を解決するための手段】
【００１０】
上記目的を達成する為に、請求項１の発明は、ファクシミリ通信若しくはインターネットファクシミリ通信により文書を受信した際に網から通知される送信端末の電話番号である発信電話番号、相手が送信指示の際に指定した送信電話番号若しくは送信元メールアドレスに対応して該文書の処理方法をテーブルに予め登録し、受信文書を該テーブルに登録した処理方法にしたがって処理する画像通信装置において、前記テーブルに前記送信電話番号に対応して前記処理方法を登録した場合は、ＥＮＵＭサーバにアクセスし、該送信電話番号に対応するＮＡＰＴＲリソースレコードのＵＲＩに該登録した処理方法に対応する制御情報を登録する登録手段と、インターネットファクシミリ通信により文書を受信した際に、前記制御情報が含まれている場合は、該文書を該制御情報に対応する処理方法で処理する処理手段と、前記テーブルに前記送信電話番号に対応して登録した処理方法を変更した場合は、ＥＮＵＭサーバにアクセスし、該送信電話番号に対応するＮＡＰＴＲリソースレコードのＵＲＩに登録した制御情報を該変更した処理方法に対応する制御情報に更新する更新手段とを具備することを特徴とする。
【００１１】
また、請求項２の発明は、請求項１の発明において、インターネットファクシミリ通信により文書を受信した際に、前記制御情報が含まれていない場合は、送信元メールアドレスにより前記テーブルを検索し、該テーブルに該送信元メールアドレスに対応して処理方法が登録されている場合は、該登録された処理方法にしたがって該文書を処理することを特徴とする。
【００１２】
また、請求項３の発明は、請求項２の発明において、前記テーブルの検索により、該テーブルに該送信元メールアドレスに対応して処理方法が登録されていない場合は、ＥＮＵＭサーバにアクセスし、該送信元メールアドレスに対応する電話番号を取得し、該取得した電話番号を前記発信電話番号として前記テーブルを検索し、該テーブルに該発信電話番号に対応して処理方法が登録されている場合は、該登録された処理方法にしたがって該文書を処理することを特徴とする。
【００１３】
また、請求項４の発明は、請求項１乃至３のいずれかの発明において、前記テーブルに登録される処理方法は、受信文書を予め登録された排紙トレイに排出する処理であることを特徴とする。
【００１４】
また、請求項５の発明は、請求項１乃至３のいずれかの発明において、前記テーブルに登録される処理方法は、受信文書を予め登録されたデータボックスに格納する処理であることを特徴とする。
【００１５】
また、請求項６の発明は、ファクシミリ通信若しくはインターネットファクシミリ通信により文書を受信した際に網から通知される送信端末の電話番号である発信電話番号、相手が送信指示の際に指定した送信電話番号若しくは送信元メールアドレスに対応して該文書の処理方法をテーブルに予め登録し、受信文書を該テーブルに登録した処理方法にしたがって処理する画像通信方法において、前記テーブルに前記送信電話番号に対応して前記処理方法を登録した場合は、ＥＮＵＭサーバにアクセスし、該送信電話番号に対応するＮＡＰＴＲリソースレコードのＵＲＩに該登録した処理方法に対応する制御情報を登録手段により登録し、インターネットファクシミリ通信により文書を受信した際に、前記制御情報が含まれている場合は、該文書を該制御情報に対応する処理方法で処理し、前記テーブルに前記送信電話番号に対応して登録した処理方法を変更した場合は、ＥＮＵＭサーバにアクセスし、該送信電話番号に対応するＮＡＰＴＲリソースレコードのＵＲＩに登録した制御情報を該変更した処理方法に対応する制御情報に更新手段により更新することを特徴とする。
【発明の効果】
【００１６】
本発明の画像通信装置およびその方法によれば、テーブルに送信電話番号に対応して処理方法を登録した場合は、ＥＮＵＭサーバにアクセスし、該送信電話番号に対応するＮＡＰＴＲリソースレコードのＵＲＩに該登録した処理方法に対応する制御情報を登録する登録手段と、インターネットファクシミリ通信により文書を受信した際に、制御情報が含まれている場合は、該文書を該制御情報に対応する処理方法で処理する処理手段と、前記テーブルに前記送信電話番号に対応して登録した処理方法を変更した場合は、ＥＮＵＭサーバにアクセスし、該送信電話番号に対応するＮＡＰＴＲリソースレコードのＵＲＩに登録した制御情報を該変更した処理方法に対応する制御情報に更新する更新手段とを具備するように構成したので、電話回線を利用したＦＡＸ通信がＥＮＵＭによってｉＦＡＸに切り替えられｉＦＡＸを受信した場合でも、送信相手に応じて予め設定された処理を受信画像に対して行うことができるという効果を奏する。
【発明を実施するための最良の形態】
【００１７】
以下、本発明に係わる画像通信装置およびその方法の実施例について添付図面を参照して詳細に説明する。
【００１８】
まず、本発明に係わる画像通信装置の内部構成例について図１を参照して説明を行う。
【００１９】
図１は、本発明に係わる画像通信装置１００の内部構成例を示したブロック図である。
【００２０】
図１に示すように、画像通信装置１００は、画像通信装置１００が備えるネットワークインタフェース１０９を通してネットワーク１０に繋がっており、インターネット２０を通して、ＥＮＵＭ(tElephone NUmber Mapping)のＤＮＳ(Domain Name System)３０に接続可能に構成されている。
【００２１】
画像通信装置１００は、バス１０７に、画像通信装置１００の全体の制御を行うシステム制御部１０１と、所定の解像度で原稿画像を読み取るスキャナ部１０３と、所定の解像度で画像を出力するプリンタ部１０４と、画像通信装置１００の操作で使用される各種操作キーおよび各種メッセージをユーザに表示する操作／表示部１０５と、システムデータや対応テーブル等を保存するテーブル記憶部１０６と、スキャナ部１０３から読み込まれた画像やネットワーク１０より受信した画像等を蓄積する画像蓄積部１０２と、電話回線を利用したファックス通信の処理を行うＦＡＸ部１１０と、ＨＴＴＰ(HyperText Transfer Protocol)、ＳＩＰ(Session Initiation Protocol)等のプロトコルを処理してＥＮＵＭ更新情報の通信を行うトランスポートプロトコル処理部１２０と、電子メールを通じてインターネットファックスの処理を行うｉＦＡＸ部１３０と、ＥＮＵＭのＤＮＳ３０に対してシステム制御部１０１で変換されたドメイン名よりＮＡＰＴＲ(The Naming Authority Pointer)リソースレコード（以下、ＮＡＰＴＲ−ＲＲと記す）を要求、取得するＤＮＳ処理部１４０とが接続されている。
【００２２】
さらに、ＦＡＸ部１１０、トランスポートプロトコル処理部１２０、ｉＦＡＸ部１３０、ＤＮＳ処理部１４０は、インターネットのトランスポートレイヤとネットワークレイヤのプロトコル制御を行うＴＣＰ(Transmission Control Protocol)／ＵＤＰ(User Datagram Protocol)／ＩＰ(Internet Protocol)制御部１０７に接続されており、さらに、ＴＣＰ／ＵＤＰ／ＩＰ制御部１０８は、データリンク層以下の通信制御を行うネットワークインタフェース１０９に接続され、ネットワークインタフェース１０９は、ネットワーク１０に繋がっており、ネットワーク１０を通してインターネット２０にアクセス可能に構成される。
【００２３】
ＦＡＸ部１１０は、ＦＡＸ部１１０内において、送信時に受信側の能力に合わせて画像の解像度、サイズ、符号則等を変換する処理を行う通信画像処理部１１１がバス１０７に繋がっており、さらに通信画像処理部１１１にはＴ．３０プロトコルを制御するＴ３０制御部１１２が接続され、さらに、Ｔ３０制御部１１２には、アナログ信号とデジタル信号の変復調を行うモデム１１３が接続され、さらに、モデム１１３には、電話回線１１５との接続制御を行うＮＣＵ１１４が接続されている。
【００２４】
このＦＡＸ部１１０により、画像通信装置１００は、電話回線１１５を使用したファックス通信が可能である。
【００２５】
また、トランスポートプロトコル処理部１４０は、ＴＣＰ／ＵＤＰ／ＩＰ制御部１０８に繋がっている。
【００２６】
また、ｉＦＡＸ部１３０は、ｉＦＡＸ部１３０内において、通信画像処理部１３１がバス１０７に繋がっており、さらに通信画像処理部１３１には、既存電子メールの送受信制御を行うＳＭＴＰ(Simple Mail Transfer Protocol)制御部１３３と、Ｔ．３７プロトコルを制御してインターネットファックスの制御を行うＴ３７制御部１３２とが並列に接続され、そして、ＳＭＴＰ制御部１３３がＴＣＰ／ＵＤＰ／ＩＰ制御部１０８に接続されている。
【００２７】
このｉＦＡＸ部１３０により、画像通信装置は、電子メールを利用したインターネットファックスが可能である。
【００２８】
また、ＤＮＳ処理部１４０は、ＴＣＰ／ＵＤＰ／ＩＰ制御部１０８に繋がっている。
【００２９】
この画像通信装置１００においてＥＮＵＭ技術を使用して通信相手の情報を入手する際には、通信相手の宛先番号がシステム制御部１０１によってＥＮＵＭ形式のアドレス情報であるドメイン名に変換されて、該ドメイン名がＤＮＳ処理部１４０よりＴＣＰ／ＵＤＰ／ＩＰ制御部１０８とネットワークインタフェース１０９を通してネットワーク２０からインターネット１０上のＤＮＳ３０に送られる。
【００３０】
ドメイン名が送られたＤＮＳ３０は、ドメイン名に対応するＮＡＰＴＲ−ＲＲが登録されている場合には、登録されているＮＡＰＴＲ−ＲＲを画像通信装置１００に送り返す。
【００３１】
画像通信装置１００はネットワークインタフェース１０９でＮＡＰＴＲ−ＲＲを受け取ると、ＴＣＰ／ＵＤＰ／ＩＰ制御部１０８からＤＮＳ処理部１４０に送り、システム制御部１０１によって、受け取ったＮＡＰＴＲ−ＲＲから通信相手が受信可能な通信手段と該通信手段を使用した場合の通信相手のアドレスがＵＲＩ形式で抽出される。
【００３２】
次に、画像通信装置１００が、画像をｉＦＡＸ部１３０より受信した際にネットワーク１０から伝えられる宛先メールアドレスに応じて、受信した画像の処理内容をＥＮＵＭのＤＮＳに登録する様子について図２を参照して説明する。
【００３３】
図２は、画像通信装置１００が、画像をｉＦＡＸ部１３０より受信した際にネットワーク１０から伝えられる宛先メールアドレスに応じて、受信した画像の処理内容をＥＮＵＭのＤＮＳに登録する様子について示した模式図である。
【００３４】
図２に示すように、画像通信装置１００は、ＥＮＵＭのＤＮＳ３０に対して、トランスポートプロトコル処理部１２０より、ＤＮＳ３０に登録するサービス内容の更新を行う。
【００３５】
次に、画像通信装置１００に対して画像を送信する送信者が、ＥＮＵＭのＤＮＳ３０を利用して電話番号より画像通信装置１００のメールアドレスを取得する様子について図３を参照して説明を行う。
【００３６】
図３は、画像通信装置１００に対して画像を送信する送信者が、ＥＮＵＭのＤＮＳ３０を利用して電話番号より画像通信装置１００のメールアドレスを取得する様子について示した図である。
【００３７】
図３に示すように、送信者が使用する画像通信装置３０１は、ＥＮＵＭのＤＮＳ３０に対して、電話番号を元にしたドメイン名を送信して（符合３０２）、ＤＮＳ３０よりＮＡＰＴＲ−ＲＲを受信して（符合３０３）、メールアドレスを抽出する。
【００３８】
次に、画像通信装置１００によって、ＤＮＳ３０に登録される送信電話番号とメールアドレスとの対応情報が更新される具体的な内容について図４を参照して説明を行う。
【００３９】
図４は、画像通信装置１００によって、ＤＮＳ３０に登録される送信電話番号とメールアドレスとの対応情報が更新される具体的な内容について示した図である。
【００４０】
図４に示すように、電話番号「048-123-5678」に対応するメールアドレスが「BOX=001@aaa.fujixerox.co.jp」と登録され（符合４０１）、電話番号「048-098-7654」に対応するメールアドレスが「Out=Tray1@bbb.fujixerox.co.jp」と登録される（符合４０２）。
【００４１】
このように登録されることによって、画像通信装置１００に対して画像を送信する送信者がＥＮＵＭを利用してインターネットファックスする場合に、送信者は、符合４０１の電話番号「048-123-5678」をＤＮＳ３０に問い合わせることで登録されたメールアドレス「BOX=001@aaa.fujixerox.co.jp」を得て、該メールアドレスを使用して画像通信装置１００にインターネットファックスによって画像を送信することになる。
【００４２】
また、送信者は、符合４０２の電話番号「048-098-7654」をＤＮＳ３０に問い合わせることで登録されたメールアドレス「Out=Tray1@bbb.fujixerox.co.jp」を得て、該メールアドレスを使用して画像通信装置１００にインターネットファックスによって画像を送信できる。
【００４３】
送信者より「BOX=001@aaa.fujixerox.co.jp」のメールアドレスで画像を受信した画像通信装置１００は、該メールアドレスに記述された制御情報である「BOX=001」に従って、受信した画像を１番のメールボックスに格納する。
【００４４】
また、送信者より「Out=Tray1@bbb.fujixerox.co.jp」のメールアドレスで画像を受信した画像通信装置１００は、該メールアドレスに記述された制御情報である「Out=Tray1」に従って、受信した画像の印刷を行って１番の排出トレイより排出する。
【００４５】
次に、画像通信装置１００において、ＦＡＸ部１１０やｉＦＡＸ部１３０より画像を受信した際に、電話回線１１５やネットワーク１０から通知される送信電話番号や送信相手の電話番号である発信電話番号や宛先メールアドレス毎に受信した画像を処理する内容が登録された処理テーブルについて図５を参照して説明する。
【００４６】
図５は、画像通信装置１００において、ＦＡＸ部１１０やｉＦＡＸ部１３０より画像を受信した際に、電話回線１１５やネットワーク１０から通知される送信電話番号や送信相手の電話番号である発信電話番号や宛先メールアドレス毎に受信した画像を処理する内容が登録された処理テーブルについて示した処理テーブル５００である。
【００４７】
図５に示すように、処理テーブル５００には、画像通信装置１００が画像を受信した際の処理の内容として、登録Ｎｏ、宛先種別、電話番号／メールアドレス、保存・排出先が登録される。
【００４８】
例えば、符合７０１に示すように登録番号１番には、画像通信装置１００が受信したファックスの送信電話番号が「048-123-5678」の場合には、受信した画像を１番のメールボックスに保存する内容が記されている。
【００４９】
また、符合７０２に示すように登録番号２番には、画像通信装置１００が受信したファックスの送信者の発信電話番号が「048-987-6543」の場合には、受信した画像を印刷して２番の排出トレイより排出する内容が記されている。
【００５０】
また、符合７０３に示すように登録番号３番には、画像通信装置１００が受信したインターネットファックスの送信者のメールアドレスが「Fuji.Taro@fujixerox.co.jp」の場合には、受信した画像を６番のメールボックスに保存する内容が記されている。
【００５１】
また、符合７０４に示すように登録番号４番には、画像通信装置１００が受信したファックスの送信電話番号が「048-098-7654」の場合には、受信した画像を印刷して１番の排出トレイより排出する内容が記されている。
【００５２】
このように、処理テーブル５００に画像を受信した際に処理する内容を登録することによって、画像を受信した際に電話回線１１５やネットワーク１０より通知される送信電話番号や送信者の発信電話番号や送信者のメールアドレスに基づいて、受信した画像を処理テーブル５００に登録されたメールボックスに保存したり、また、受信した画像を印刷して処理テーブル５００に登録された排出トレイに排出させることができる。
【００５３】
なお、この処理テーブル５００は、画像通信装置１００内のテーブル記憶部１０６に保存される。
【００５４】
次に、処理テーブル５００に対して処理内容を登録する際に、画像通信装置１００の操作／表示部１０５に表示される受信文書保存・排出先設定画面によって行われる様子について図６を参照して説明を行う。
【００５５】
図６は、処理テーブル５００に対して処理内容を登録する際に、画像通信装置１００の操作／表示部１０５に表示される受信文書保存・排出先設定画面の画面構成図であり、図６（ａ）は宛先種別が設定される受信文書保存・排出先設定画面６０１を示した画面構成図であり、図６（ｂ）は電話番号／メールアドレスと保存・排出先等の設定が行われる受信文書保存・排出先設定画面６０２を示した画面構成図である。
【００５６】
図６（ａ）に示すように、受信文書保存・排出先設定画面６０１によって、画像を受信した際の処理内容について、宛先種別の設定が行われる。
【００５７】
宛先種別の設定が行われると、図６（ｂ）に示す受信文書保存・排出先設定画面６０２によって、電話番号かメールアドレスと保存するメールボックスの番号か排出するトレイの番号の登録が行われる。
【００５８】
このように図６に示した受信文書保存・排出先設定画面によって、処理テーブル５００に処理内容が登録される。
【００５９】
なお、処理テーブル５００に登録された内容が変更される際にも、図６に示した受信文書保存・排出先設定画面によって変更が行われる。
【００６０】
次に、画像通信装置１００において、図６に示した受信文書保存・排出先設定画面によって、処理テーブル５００に処理内容が登録される処理について図７を参照して説明を行う。
【００６１】
図７は、画像通信装置１００において、図６に示した受信文書保存・排出先設定画面によって、処理テーブル５００に処理内容が登録される処理について示したフローチャートである。
【００６２】
画像通信装置１００において、操作／表示部１０５に表示される受信文書保存・排出先設定画面によって、画像を受信した際の処理内容が登録または変更されると（ステップ７０１）、ステップ７０１で操作／表示部１０５に登録または変更された内容がテーブル記憶部１０６に保存される処理テーブル５００に登録される（ステップ７０２）。
【００６３】
そして、登録された内容が、送信電話番号に関する内容であった場合には（ステップ７０３でＹＥＳ）、画像通信装置１００は、トランスポートプロトコル処理部１２０がＤＮＳ３０にアクセスして、処理テーブル５００に登録された内容に基づいて、ＤＮＳ３０に登録される送信電話番号とメールアドレスとの対応情報の更新を行う。
【００６４】
例えば、図５の処理テーブル５００の符合７０４で示す登録番号１００の情報が登録された場合には、登録された内容は、送信電話番号「048-098-7654」に対するファックス受信は、画像を印刷して排出Tray1に出力する内容なので、ＤＮＳ３０には、電話番号「048-098-7654」に対するメールアドレスを「Out=Tray1@bbb.fujixerox.co.jp」と登録するようにする。
【００６５】
また、ステップ７０２で処理テーブル５００に登録された宛先種別が送信電話番号でなかった場合には（ステップ７０３でＮＯ）、ＥＮＵＭのＤＮＳ３０にアクセスされることなく処理は終了する。
【００６６】
次に、画像通信装置１００がＦＡＸ部１１０やｉＦＡＸ部１３０で画像を受信する際に行われる処理について図８を参照して説明を行う。
【００６７】
図８は、画像通信装置１００がＦＡＸ部１１０やｉＦＡＸ部１３０で画像を受信する際に行われる処理について示したフローチャートである。
【００６８】
画像通信装置１００が画像を受信すると（ステップ８０１）、受信がＦＡＸ部１１０による受信である場合には（ステップ８０２でＦａｘ）、さらに、電話回線１１５より送信先の電話番号である送信電話番号か送信者の電話番号である発信電話番号が通知されている場合に（ステップ８０３でＹＥＳ）、通知される電話番号（送信電話番号か発信電話番号）を処理テーブル５００内に検索する。
【００６９】
検索した結果、処理テーブル５００内に通知された電話番号が登録されている場合には、登録された処理内容に従って、受信した画像が処理される（ステップ８０６）。
【００７０】
また、検索した結果、処理テーブル５００内に通知された電話番号が登録されていない場合には、画像通信装置１００で、受信画像が印刷されてデフォルトで指定された番号の排出トレイに排出される、通常のＦＡＸ受信の処理が行われる（ステップ８０７）。
【００７１】
また、ＦＡＸ部１１０における画像の受信で、電話回線１１５から送信電話番号か発信電話番号が通知されなかった場合には（ステップ８０３でＮＯ）も、画像通信装置１００で、受信画像が印刷されてデフォルトで指定された番号の排出トレイに排出される、通常のＦＡＸ受信の処理が行われる（ステップ８０７）。
【００７２】
また、画像の受信がｉＦＡＸ部１３０による受信である場合には（ステップ８０２でｉＦＡＸ）、受信した電子メールの送信先アドレス（Ｔｏ）に制御情報が含まれているか否かがシステム制御部１０１によって調べられる（ステップ８０８）。
【００７３】
メールアドレスに「BOX=001」や「Out=Tray1」の制御情報が含まれている場合には（ステップ８０８でＹＥＳ）、含まれている制御情報に従って受信文書の処理がシステム制御部１０１によって行われる（ステップ８０９）。
【００７４】
すなわち、制御情報が「BOX=〜」の場合には「BOX=」の後に記された番号のメールボックスに対して受信された画像が保存され、また、制御情報が「Out=〜」の場合には受信した画像を印刷し「Out=」の後に記された番号の排出トレイに排出する。
【００７５】
また、ｉＦＡＸ部１３０による受信において、受信した電子メールの送信先アドレス（Ｔｏ）に制御情報が含まれていない場合には（ステップ８０８でＮＯ）、システム制御部１０１によって、処理テーブル５００内に受信した電子メールの送信者のアドレス（Ｆｒｏｍ）が検索される（ステップ８１０）。
【００７６】
検索した結果、処理テーブル５００内に受信した電子メールの送信者のアドレスがある場合には（ステップ８１１でＹＥＳ）、処理テーブル５００に登録された内容に従って受信した画像の処理が行われる（ステップ８０６）。
【００７７】
また、システム制御部１０１が処理テーブル５００内を検索した結果、処理テーブル５００に受信した電子メールの送信者のアドレスがなかった場合には（ステップ８１１でＮＯ）、ＤＮＳ処理部１４０より、受信した電子メールの送信者のアドレスに対応する電話番号をＤＮＳ３０に問い合わせる（ステップ８１２）。
【００７８】
ＤＮＳ３０に問い合わせた結果、対応する電話番号がＤＮＳ３０より得られた場合には（ステップ８１３でＹＥＳ）、得られた電話番号は、画像を送信した送信者の発信電話番号と仮定して、該電話番号に基づく受信画像の処理を処理テーブル５００に検索する。
【００７９】
つまり、処理テーブル５００内に、ステップ８１３で得られた電話番号が検索される（ステップ８０４）。
【００８０】
処理テーブル５００内に電話番号が登録されていた場合には（ステップ８０５でＹＥＳ）、登録されていた処理内容に従って受信画像を処理し、また、処理テーブル５００内に電話番号が登録されていない場合には（ステップ８０５でＮＯ）、通常のＦＡＸ受信の処理が行われる（ステップ８０７）。
【００８１】
また、ステップ８１２でＤＮＳ３０に問い合わせた結果、対応する電話番号がＤＮＳ３０より得られなかった場合には（ステップ８１３でＮＯ）、受信された画像は、通常通りデフォルトの番号のメールボックスに保存される処理が行われる（ステップ８１４）。
【００８２】
このように、ＤＮＳ３０に登録する画像通信装置１００のメールアドレスに制御情報を組み込むことにより、画像通信装置１００に画像を送信する送信者が、ＥＮＵＭによって電話回線を利用したＦＡＸがｉＦＡＸに切り替えられて、ｉＦＡＸによる画像送信を行った場合でも、インターネットファックスの電子メールの宛先アドレスに組み込まれた制御情報に従って指定の保存処理が行われる。
【００８３】
また、ＤＮＳ３０に登録する画像通信装置１００のメールアドレスに制御情報が組み込まれていない場合でも、画像通信装置１００に画像を送信する送信者がＥＮＵＭのＤＮＳ３０より得られたメールアドレスを使用して画像通信装置１００にインターネットファックスを行った際に、画像通信装置１００が送信者のメールアドレスより送信者の電話番号をＥＮＵＭのＤＮＳ３０から取得することで、取得した送信者の電話番号に基づいて処理テーブル５００に登録された処理内容に従い、受信した画像の予め設定された内容の処理が行われる。
【産業上の利用可能性】
【００８４】
この発明は、ＥＮＵＭ技術に対応して、さらに、インターネットファックスを受信することができる画像通信装置およびその方法において利用可能である。
【００８５】
この発明によれば、電話回線を利用したＦＡＸ通信がＥＮＵＭによってｉＦＡＸに切り替えられｉＦＡＸを受信した場合でも、送信相手に応じて予め設定された処理を受信画像に対して行うことができる。
【図面の簡単な説明】
【００８６】
【図１】本発明に係わる画像通信装置１００の内部構成例を示したブロック図。
【図２】画像通信装置１００が、画像をｉＦＡＸ部１３０より受信した際にネットワーク１０から伝えられる宛先メールアドレスに応じて、受信した画像の処理内容をＥＮＵＭのＤＮＳに登録する様子について示した模式図。
【図３】画像通信装置１００に対して画像を送信する送信者が、ＥＮＵＭのＤＮＳ３０を利用して電話番号より画像通信装置１００のメールアドレスを取得する様子について示した図。
【図４】画像通信装置１００によって、ＤＮＳ３０に登録される送信電話番号とメールアドレスとの対応情報が更新される具体的な内容について示した図。
【図５】画像通信装置１００において、ＦＡＸ部１１０やｉＦＡＸ部１３０より画像を受信した際に、電話回線１１５やネットワーク１０から通知される送信電話番号や送信相手の電話番号である発信電話番号や宛先メールアドレス毎に受信した画像を処理する内容が登録された処理テーブルについて示した処理テーブル５００。
【図６】処理テーブル５００に対して処理内容を登録する際に、画像通信装置１００の操作／表示部１０５に表示される受信文書保存・排出先設定画面の画面構成図。
【図７】画像通信装置１００において、図６に示した受信文書保存・排出先設定画面によって、処理テーブル５００に処理内容が登録される処理について示したフローチャート。
【図８】画像通信装置１００がＦＡＸ部１１０やｉＦＡＸ部１３０で画像を受信する際に行われる処理について示したフローチャート。
【符号の説明】
【００８７】
１０    ネットワーク
２０    インターネット
３０    ＤＮＳ
１００    画像通信装置
１０１    システム制御部
１０２    画像蓄積部
１０３    スキャナ部
１０４    プリンタ部
１０５    操作／表示部
１０６    テーブル記憶部
１０７    バス
１０８    ＴＣＰ／ＵＤＰ／ＩＰ制御部
１０９    ネットワークインタフェース
１１０    ＦＡＸ部
１１１    通信画像処理部
１１２    Ｔ３０制御部
１１３    モデム
１１４    ＮＣＵ
１１５    電話回線
１２０    トランスポートプロトコル処理部
１３０    ｉＦＡＸ部
１３１    通信画像処理部
１３２    Ｔ３７制御部
１３３    ＳＭＴＰ制御部
１４０    ＤＮＳ処理部
５００    処理テーブル
【図１】
2007088892.tif 000003
【図２】
2007088892.tif 000004
【図３】
2007088892.tif 000005
【図４】
2007088892.tif 000006
【図５】
2007088892.tif 000007
【図６】
2007088892.tif 000008
【図７】
2007088892.tif 000009
【図８】
2007088892.tif 000010